(57)【特許請求の範囲】
【請求項１】
搬送路を搬送される紙葉類に含まれる磁性体を検出する磁気センサ装置であって、
前記搬送路に磁界を発生させる磁界発生部と、
前記磁界発生部により発生される磁界の強度を電気信号に変換する複数の磁電変換素子を紙葉類の搬送方向に直交する方向に備えたセンサ部と、
前記センサ部を保持するとともに、前記複数の磁電変換素子からの入出力信号について回路パターンを有する保持基板と、
前記保持基板から入力される信号に基づいて紙葉類に含まれる磁性体を検出する検出部と、
前記保持基板と磁界発生部を保持し、前記保持基板と前記磁界発生部を固定する保持ケースと、
前記センサ部と前記検出部をポリイミド材で被覆した可撓性のフレキシブル基板により接続する接続部と、
前記センサ部を搬送路に搬送される紙葉類から保護する保護カバーと、
前記センサ部の周囲に前記保持基板と前記保護カバーを固定するスペーサーとを備え、
前記スペーサーは、前記センサ部の高さよりも厚みが大きく、なおかつ、前記スペーサーと前記保持基板は弾力部材を介して固定され、
前記フレキシブル基板は、前記保持ケースの外側に設けられており、
前記フレキシブル基板と前記保護カバーとの間に設けられ、前記保持ケースとの間で前記フレキシブル基板を挟持するアタッチメントをさらに備え、
前記磁電変換素子からの出力信号が前記フレキシブル基板を介して前記検出部に入力されることを特徴とする磁気センサ装置。
【請求項２】
前記接続部は前記保持ケースに接着固定されていることを特徴とする請求項１記載の磁気センサ装置。
【請求項３】
前記接続部はエポキシ系樹脂により前記保持ケースに接着固定されていることを特徴とする請求項２記載の磁気センサ装置。
【請求項４】
前記保持ケースは前記磁界発生部に対して前記保持基板を位置決めするための位置決め突起を複数備え、前記保持基板には、前記位置決め突起が挿入される位置決め孔が形成されていることを特徴とする請求項１〜３いずれか記載の磁気センサ装置。
【請求項５】
前記保持基板はフレキシブル基板により構成され、前記保持基板と前記接続部が一体型にされていることを特徴とする請求項１〜４いずれか記載の磁気センサ装置。
【請求項６】
前記フレキシブル基板は磁電変換素子周辺をソルダーレジスト材で形成されていることを特徴とする請求項５記載の磁気センサ装置。
【請求項７】
前記フレキシブル基板と検出部はコネクタにより接続されていることを特徴とする請求項１〜６いずれか記載の磁気センサ装置。
【請求項８】
前記フレキシブル基板は、前記検出部側の端部が複数の接続片に分割されており、当該複数の接続片がそれぞれ前記検出部に接続されていることを特徴とする請求項１〜７いずれか記載の磁気センサ装置。
【発明の詳細な説明】
【技術分野】
【０００１】
本発明は、例えば紙幣、有価証券などの紙葉類に含まれる磁性体を検出する磁気センサ装置に関するものである。
【背景技術】
【０００２】
磁性インクなどで所定の磁性体パターンが含まれる紙葉類を識別する磁気センサ装置として長尺型の磁気センサ装置が各種実用化されている。
【０００３】
従来の磁気センサ装置は、主な構成要素として、紙葉類に含まれる磁性体を磁化させるための磁界発生部と、磁化された磁性体の磁界強度を電圧等に変換する磁電変換素子と、磁電変換素子からの出力を検出する検出部と、を備えており、この検出部において、紙葉類に含まれる磁性体が検出される。
【０００４】
上述の磁界発生部では、通常永久磁石や電磁コイルにより、紙葉類の搬送路上に磁界(バイアス磁界と呼ぶ)を発生させる。また磁電変換素子には、磁気抵抗素子、磁気ヘッド、ホール素子などが用いられる。磁電変換素子はバイアス磁界中に設置され、紙葉類がその近傍を通過すると、紙葉類に含まれる磁性体によってバイアス磁界が変化するために、その出力が変化する。この出力信号を検出することによって磁性体が検出される。
【０００５】
また、最近偽造された紙幣や有価証券等はますます精巧になり、真偽を見分け難くなっている。一方、偽造防止・真偽識別のために、紙葉類に多種類の高度なセキュリティー対策が施されている。例えば、紙葉類に印刷パターンの細かな磁性体を配置したり、磁気特性の異なる複数の磁性体を複数配置したりしている。
【０００６】
従来の磁気アレイセンサは特許文献１に示すように、磁電変換素子と磁界発生部を保持する保持ケースを有し、当該保持ケースの天面側に磁電変換素子を配置している。この際、磁電変換素子と検出部とを接続するための外部入出力用の端子は、樹脂ケースの底面から突出するピンなどが用いられる。そして、この外部入出力用のピン端子を磁電変換素子と接続するため、ピン端子は底面から天面まで樹脂ケースを貫通する形状から成り、天面において、ピン端子と磁電変換素子とを導電性材料で形成されたリード端子で接続する形状が用いられる。
【先行技術文献】
【特許文献】
【０００７】
【特許文献１】特開２０１０−１７５４９０号公報
【特許文献２】特開平１１−１０１６５８号公報
【発明の概要】
【発明が解決しようとする課題】
【０００８】
従来の磁気センサ装置は、各磁電変換素子が大型であり、かつ素子数も少ないため、直線上に配列される各磁電変換素子間の接続ピン本数は少なく、またピッチが比較的大きい。しかし、紙葉類全面の細かな磁性体を検出するには、各磁電変換素子を小さくかつ素子間のピッチを小さくする必要がある。また、前記複数の磁電変換素子の正規の読み取り位置が紙葉類の搬送方向に対して、直交方向に異なると検出波形も異なることから、位置決め精度が重要である。
【０００９】
しかしそのためには、各磁電変換素子の小型化だけでなく磁電変換素子数が増加するので、ピン端子により磁電変換素子と検出回路を接続する方式では、磁電変換素子と検出回路を接続するのが困難であった。特許文献２では、磁電変換素子（本文献の表現では磁気検出素子）および磁石が保持部材に保持されるとともに、該保持部材がケース内にて該ケースと前記磁電変換素子との間に間隔を有して樹脂ホルダにより保持され、かつ、前記保持部材が磁電変換素子を弾性的に保持する保持片を備えて、磁電変換素子と検出回路との接続をフレキシブル回路基板にて接続する方法を示している。しかし、この方法では、磁電変換素子を保持する保持片が磁電変換素子を両サイドから挟持する必要があるが、磁電変換素子の素子数が搬送方向に対して直交方向に増加したとき、保持することができない。また、搬送路に搬送される紙葉類からの振動や衝撃の影響により、磁気センサ出力に悪影響をもたらす。
【００１０】
本発明は、上記実情に鑑みてなされたものであり、磁電変換素子数が増加し、外部入出力端子が多くても磁電変換素子と検出部を接続することが可能な磁気センサ装置を提供することを目的とする。
【課題を解決するための手段】
【００１１】
本発明に係る磁気センサ装置は、搬送路を搬送される紙葉類に含まれる磁性体を検出する磁気センサ装置であって、前記搬送路に磁界を発生させる磁界発生部と、前記磁界発生部により発生される磁界の強度を電気信号に変換する複数の磁電変換素子を紙葉類の搬送方向に直交する方向に備えたセンサ部と、前記センサ部を保持するとともに、前記複数の磁電変換素子からの入出力信号について回路パターンを有する保持基板と、前記保持基板から入力される信号に基づいて紙葉類に含まれる磁性体を検出する検出部と、前記保持基板と磁界発生部を保持し、前記保持基板と前記磁界発生部を固定する保持ケースと、前記センサ部と前記検出部をポリイミド材で被覆した可撓性のフレキシブル基板により接続する接続部とを備えている。
【００１２】
また、該磁気センサ装置は、前記センサ部を搬送路に搬送される紙葉類から保護する保護カバーと、前記保護カバーと前記センサ部が接触しないようセンサ部の周囲に前記保持基板と前記保護カバーとを固定するスペーサーを備え、前記スペーサーと前記保持基板は弾力部材により固定されている。そうすることにより、搬送路を搬送される紙葉類からのセンサ部の振動や衝撃を抑えることができ、高精度のセンサ出力を得ることができる。
【００１３】
さらに、前記フレキシブル基板が当該磁界発生部からの電磁誘導を受けないよう前記接続部は前記保持ケースに接着固定されている。そうすることにより、磁界発生部の振動や衝撃によって、フレキシブル基板が電磁誘導の影響を受けずに、高精度のセンサ出力を得ることができる。
【００１４】
また、前記保持ケースは前記磁界発生部に対して前記保持基板を位置決めするための位置決め突起を複数備え、前記保持基板には、前記位置決め突起が挿入される位置決め孔が形成されるよう構成する。
【００１５】
このような構成によれば、複数の磁電変換素子が小さく素子数が多くても、各磁電変換素子からの信号を検出部に接続することができるとともに、保持基板に形成された位置決め孔に保持ケースの位置決め突起を挿入するだけで、保持基板と磁界発生部を容易に位置決めすることができる。つまり、複数の磁電変換素子が小さく素子数が多くても、各々の磁電変換素子と磁界発生部との位置関係について、精度よく容易に組み立てることができる。なお、前記接続部は磁界発生部と直接接着固定してもよい。
【００１６】
また、磁界中に配列されている磁電変換素子は、前記磁界発生部により発生される磁界中であれば、搬送路方向に直交であれば良く、特に一直線上でなくてもよく、例えば千鳥配置のように、複数の直線上に配列されてもよい。
【００１７】
さらに、前記センサ部を保持する該保持基板はポリイミド材で被覆したフレキシブル基板により構成され、前記検出部と接続されているフレキシブル基板と一体化されている。
【００１８】
このような構成によれば、前記保持基板とフレキシブル基板をコネクタなどで接続することなく、多数の磁電変換素子をフレキシブル基板にリフロー実装し、前記磁電変換素子をフレキシブル基板により直接検出部にまとめて接続することが可能となる。また、磁電変換素子は常に保持ケースに固定されているため常に安定した磁電変換素子の出力を得ることができる。なお、該フレキシブル基板の磁電変換素子周辺を熱膨張の少ないソルダーレジスト材で形成してもよく、磁電変換素子をソルダーレジストで形成することにより、温度変化による磁電変換素子周辺の位置ずれが生じにくくなる。
【００１９】
さらに、前記フレキシブル基板と検出部はコネクタにより接続されているようにする。そうすることによりフレキシブル基板と検出部とを簡単に接続することが可能になり、磁気センサ装置の組立作業や保守作業を簡略化することができる。なお、このときフレキシブル基板と検出部との接続はコネクタ接続に限られたものでなく、簡単に圧着接続されるものであればよい。
【００２０】
さらに、前記フレキシブル基板は、前記検出部側の端部が複数の接続片に分割されており、当該複数の接続片がそれぞれ前記検出部に接続されるようにする。
【００２１】
このような構成によれば、フレキシブル基板における検出部側の端部が複数の接続片に分割されているため、当該端部が分割されていない場合と比較して、熱膨張などによる変形が生じにくい。これにより、当該端部の変形が反対側（磁電変換素子側）の端部に与える影響を抑制することができるため、フレキシブル基板の変形による各磁電変換素子の位置ずれなどが生じにくい。
【発明の効果】
【００２２】
本発明によれば、複数の小さな磁電変換素子を精度よく細かなピッチで配列することができ、また磁電変換素子と検出部の入出力端子が増加しても接続することができるので、磁界発生部と搬送路、磁電変換素子との距離をコンパクトに製造可能な磁気センサ装置を実現できる。これにより、紙葉類に含まれる磁性体を高解像度かつ高精度で検出することができる。
【図面の簡単な説明】
【００２３】
【図１】本発明の第１実施形態に係る磁気センサ装置１の概略断面図である。
【図２】本発明の第１実施形態に係る磁気センサ装置１の構成とその中で発生する磁界の様子を概略的に示す断面図である。
【図３】本発明の第１実施形態に係る磁気センサ装置１の一部分を示した概略斜視図である。
【図４Ａ】保持基板を部分的に拡大して示した概略平面図である。
【図４Ｂ】図４Ａの保持基板の概略底面図である。
【図５】本発明の第２実施形態に係る磁気センサ装置１の構成とその中で発生する磁界の様子を概略的に示す断面図である。
【図６】本発明の第２実施形態に係る磁気センサ装置１の一部分を示した概略斜視図である。
【発明を実施するための形態】
【００２４】
＜第１実施形態＞
図１は、本発明の第１実施形態に係る磁気センサ装置１の概略断面図である。紙葉類Ｓには、例えば、磁気インク、磁気スレッドなどを用いて磁気パターンＭが印刷されており、この磁気センサ装置１は、紙葉類Ｓに含まれる磁気パターンＭを検出するものである。
【００２５】
搬送路２は、間隔Ｇで、紙葉類Ｓの幅よりもやや大きい幅で、搬送方向Ｄ１に向かって形成されている。紙葉類Ｓは、上流搬送ローラー２１によって搬送路２の中に送り込まれ、磁気センサ装置１に対向するセンサ対向ローラー２３で下流搬送ローラー２２に向かってさらに搬送される。センサ対向ローラー２３は、紙葉類Ｓが磁気センサ装置１に近づくように、Ｄ３の方向に向けて押し下げる機能も有する。このようにして紙葉類Ｓが磁気センサ装置１上を通過する間に紙葉類Ｓの磁性体が検出される。次いで、紙葉類Ｓは下流搬送ローラー２２で搬送路から排出される。
【００２６】
図２は、磁気センサ装置１の構成とその中で発生する磁界の様子を概略的に示す断面図である。また、図３は、磁気センサ装置１を示した概略斜視図である。
磁界発生部３は、通常、永久磁石で構成されており、バイアス磁界を形成する。この例では、Ｎ極が上側、Ｓ極が下側となるように、磁界発生部３は、磁電変換素子４の下に設けられている。磁界発生部３の周囲には、図２に示すようなループ状の磁束が形成され、特に、磁電変換素子４の近傍では、紙葉類Ｓの搬送方向（図１参照）に対して垂直なバイアス磁界が形成されている。
【００２７】
磁電変換素子４は、ホール素子で構成されている。ホール素子はこのバイアス磁界の中にあり、紙葉類Ｓに対して直交方向Ｄ３に形成される磁束を検知するよう複数備えられている。複数の磁電変換素子４は、センサ部４０を構成しており、磁界発生部３により発生されるバイアス磁界の強度を電気信号に変換する。紙葉類Ｓが磁電変換素子４上を通過する際、紙葉類Ｓに含まれている磁性体によって、このバイアス磁界が変化する。磁電変換素子４はこの変化したバイアス磁界を検出する。
【００２８】
本実施形態では、幅方向Ｄ２に沿った各磁電変換素子４間のピッチは０．５ｍｍ〜３ｍｍで設定されている。当該ピッチは、該磁電変換素子４のＤ２方向の磁界検出範囲以下で設定されている。これにより、紙葉類Ｓを搬送したとき、紙葉類Ｓ全面の磁界変化を隙間なく検出することができる。
【００２９】
複数の磁電変換素子４は、保持基板５により保持されている。保持基板５は、例えばガラスエポキシ樹脂などの絶縁性樹脂により形成されたリジッド基板の表面に、銅箔などの導体箔で回路パターンが印刷されたプリント基板である。本実施形態における保持基板５の表面には、複数の磁電変換素子４と、当該保持基板５を他の部材に電気的に接続するためのコネクタ５１が実装されている。
【００３０】
保持基板５には、フレキシブル基板６を介して検出部７が接続されている。すなわち、保持基板５に実装されたコネクタ５１にフレキシブル基板６の一端部が着脱可能に接続されるとともに、検出部７を構成する駆動基板に実装されたコネクタ７１にフレキシブル基板６の他端部が着脱可能に接続されることにより、保持基板５上の回路と検出部７とが電気的に接続されている。
【００３１】
各磁電変換素子４には、検出部７からフレキシブル基板６を介して駆動電圧が印加されており、各磁電変換素子４からの出力信号はフレキシブル基板６を介して検出部７に入力される。検出部７は、磁電変換素子４の出力から、紙葉類Ｓに含まれている磁性体によるバイアス磁界の変化分だけを取り出して、高精度で紙葉類Ｓの磁性体を検出する。
【００３２】
フレキシブル基板６は、可撓性を有するプリント基板であり、銅箔などの導体箔がフィルム状の絶縁体であるポリイミド材により被覆された構成となっている。フレキシブル基板６は、センサ部４０（磁電変換素子４）と検出部７を接続する接続部６０を構成している。本実施形態では、１つのフレキシブル基板６により、複数の磁電変換素子４が検出部７に対して纏めて接続されている。これにより、各磁電変換素子４を検出部７に対して個別に配線で接続するような構成と比較して、多数の磁電変換素子４を配列して検出部７に接続することができる。
【００３３】
このように構成することで、複数の磁電変換素子４は検出部７に対して分離して設けられるため、これらの磁電変換素子４を搬送路２と磁界発生部３との間の比較的狭いスペースに設けることが可能になる。
【００３４】
また、フレキシブル基板６における検出部７側の端部は、切り込み又は切り取り部分が形成されることにより、複数の接続片６１に分割されている。各接続片６１は、それぞれ個別のコネクタ７１を介して検出部７に接続されている。すなわち、複数の接続片６１をそれぞれ検出部７に接続することにより、１つのフレキシブル基板６を用いて、複数の磁電変換素子４を検出部７に対して纏めて接続することができるようになっている。
【００３５】
保持ケース８は、磁界発生部３、磁電変換素子４、保持基板５及びフレキシブル基板６を保持する筐体である。磁界発生部３、磁電変換素子４及び保持基板５は、ほぼ密閉された状態で、相互の位置関係が動かないように保持ケース８により固定されている。フレキシブル基板６は、磁界発生部３、磁電変換素子４及び保持基板５と固定された保持ケース６に、接着固定される。この接着固定は、例えばエポキシ系接着剤などのようにエポキシ系樹脂を含む材料を用いて行われる。
【００３６】
保持ケース８により、磁界発生部３と保持基板５は連結されている。この例では、磁界発生部３の幅方向Ｄ２の両端部に連結部材８１が備え付けられており、当該連結部材８１により保持ケース８と保持基板５は幅方向Ｄ２の両端部に連結されている。具体的には、連結部材８１は保持ケース８から保持基板５側に突出する突起であり、保持基板５の両端部には、各突起に対向する位置に位置決め孔５２が形成されている。
【００３７】
これにより、保持基板５に形成された位置決め孔５２に連結部材８１を挿入するだけで、磁界発生部３に対して保持基板５を容易に位置決めすることができる。特に、本実施形態のように複数の磁電変換素子４が保持基板５により保持された構成の場合には、保持基板５を位置決めするだけで、各磁電変換素子４の位置決めを容易かつ精度よく行うことができるため、組立作業を簡略化することができる。
【００３８】
なお、連結部材８１は、２つに限らず、３つ以上設けられていてもよい。また、連結部材８１は、保持基板６の一端部における幅方向Ｄ２の両端部で連結部材８１に連結するような構成に限らず、幅方向Ｄ２の中央部などの他の位置で保持基板５を連結部材８１に連結するような構成であってもよい。さらに、連結部材８１は保持ケース８に設けられた構成に限らず、例えば磁界発生部３に設けられていてもよいし、他の部材に設けられていてもよい。この場合、保持ケース８と磁界発生部３や磁電変換素子４を固定する必要はない。
【００３９】
保護カバー９は、搬送路２内に搬送される紙葉類Ｓなどから、磁電変換素子４を保護するカバーであり、非磁性体（たとえば、リン青銅）で構成されている。スペーサー１０、アタッチメント１１は、搬送路２内に搬送される紙葉類Ｓにより保護カバーの変形を防止するための非磁性体で構成されている。スペーサー１０は搬送路２内に搬送される紙葉類Ｓにより磁電変換素子４が保護カバー９と接触しないよう磁電変換素子４より高く構成されており、また紙葉類Ｓの搬送による振動を受けないようスペーサー１０と保持基板５は弾力性のある両面テープにより固定されている。ここで、弾力性のある両面テープは、弾力部材の一例に過ぎず、他の弾力部材を用いることも可能である。さらに保持ケース８とアタッチメント１１でフレキブル基板６を挟持して、固定している。
【００４０】
図４Ａは、保持基板５を部分的に拡大して示した概略平面図である。図４Ｂは、図４Ａの保持基板５の概略底面図である。保持基板５には、図４Ａ、図４Ｂに示すように、表面、裏面ともに回路パターン５３、５４が形成されている。保持基板５の表面には、各磁電変換素子４の取付位置に回路パターン５３、５４が形成されており、当該回路パターン５３、５４上に磁電変換素子４が実装されている。回路パターン５３は、磁電変換素子４からの信号パターンであり、各磁電変換素子４の出力から保持基板５上に実装されたコネクタ５１まで延びており、当該コネクタ５１にフレキシブル基板６が取り付けられる。
【００４１】
回路パターン５４は磁電変換素子４について、一定の電圧を与える電源パターンであり、保持基板５上に実装されたコネクタ５１から裏面の回路パターン５４により引き回され、保持基板５のスルーホール穴５５を経由して表面の回路パターン５４に接続されている。すべての各磁電変換素子４の電源は並列に接続されている。
【００４２】
この例では、表面が信号パターン、裏面が電源パターンにて接続される構成となっているが、このような構成に限らず、複数の回路パターン５４に分割されていてもよい。また、本実施例では磁電変換素子４を定電圧にて並列に接続しているが、定電流を与える電源にして、各磁電変換素子４の電源パターンを直列に接続してもよい。
【００４３】
本実施形態によれば、磁界発生部３が永久磁石、磁電変換素子４がホール素子により構成される場合について説明した。しかし、このような構成に限らず、例えば磁界発生部３をコイル、磁電変換素子４を磁気抵抗素子や磁気インピーダンス素子などで構成するものであってもよい。
【００４４】
＜第２実施形態＞
図５は、本発明の第２実施形態に係る磁気センサ装置１００の構成例を示した概略断面図である。また、図６は、磁気センサ装置１００の一部分を示した概略斜視図である。第１実施形態では、複数の磁電変換素子４が保持基板５により保持された構成について説明したが、第２実施形態では、複数の磁電変換素子４がフレキシブル基板６に実装されている点が第１実施形態とは異なる。すなわち、第２実施形態では、第１実施形態における保持基板５がフレキシブル基板６により構成され、保持基板５と接続部６０が一体型にされている。他の構成については第１実施形態と同様であるため、同様の構成については、図に同一符号を付して詳細な説明を省略する。
【００４５】
幅方向Ｄ２に沿って直線上に配列されている複数の磁電変換素子４がフレキシブル基板６により保持されている。フレキシブル基板６は、一般的に、ポリイミドで被覆したものにて構成しているが、各磁電変換素子４の周囲にはポリイミドではなく熱膨張の少ないソルダーレジストにて形成してもよい。磁電変換素子４周辺をソルダーレジストで形成することにより、温度変化による磁電変換素子４周辺の位置ずれが生じにくくなる。
【００４６】
また、フレキシブル基板６における検出部７側の端部は、切り込み又は切り取り部分が形成されることにより、複数の接続片６１に分割されている。各接続片６１は、それぞれ個別のコネクタ７１を介して検出部７に接続されている。これは、フレキシブル基板６における検出部７側の端部が分割されていない場合と比較して、熱膨張による変形が生じにくい。これにより、当該端部の変形が反対側（磁電変換素子４側）の端部に与える影響を抑制することができるため、フレキシブル基板６の変形による各磁電変換素子４の位置ずれが生じにくい。この例では、フレキシブル基板６の端部が３つの接続片６１に分割されているが、これに限らず、２つの接続片６１に分割されていてもよいし、４つ以上の接続片６１に分割されていてもよい。
【００４７】
さらにフレキシブル基板６を介して検出部７が接続されている。すなわち、フレキシブル基板６の一端部が着脱可能に接続されるとともに、検出部７を構成する駆動基板に実装されたコネクタ７１にフレキシブル基板６の他端部が着脱可能に接続されることにより、フレキシブル基板６上の回路と検出部７とが電気的に接続されている。これにより、多数の磁電変換素子４をフレキシブル基板６に実装し、それらの磁電変換素子４をフレキシブル基板６により検出部７に対して纏めて接続することができる。
【００４８】
この場合、複数の磁電変換素子４がフレキシブル基板６に直接保持されることにより、第１実施形態のような保持基板５が不要となる。そのため、構造が簡略化されるとともに、より狭いスペースに複数の磁電変換素子４を設置することができる。
【００４９】
磁界発生部３及びフレキシブル基板６は、保持ケース８に備えられた連結部材８１により連結されている。この例では、永久磁石３の幅方向Ｄ２の両端部に連結部材８１が取り付けられており、当該連結部材８１がフレキシブル基板６の一端部における幅方向Ｄ２の両端部に連結されている。具体的には、連結部材８１は保持ケース８からフレキシブル基板６側に突出する位置決め突起であり、フレキシブル基板６の一端部における幅方向Ｄ２の両端部には、各位置決め突起に対向する位置に位置決め孔６３が形成されている。
【００５０】
これにより、フレキシブル基板６に形成された位置決め孔６３に連結部材８１を挿入するだけで、磁界発生部３に対してフレキシブル基板６を容易に位置決めすることができる。特に、本実施形態のように複数の磁電変換素子４がフレキシブル基板６に実装された構成の場合には、フレキシブル基板６を位置決めするだけで、各磁電変換素子４の位置決めを容易かつ精度よく行うことができるため、組立作業を簡略化することができる。
【００５１】
なお、連結部材８１は、２つに限らず、１つだけであってもよいし、３つ以上設けられていてもよい。また、連結部材８１は、フレキシブル基板６の一端部における幅方向Ｄ２の両端部で連結部材８１に連結するような構成に限らず、幅方向Ｄ２の中央部などの他の位置でフレキシブル基板６を連結部材８１に連結するような構成であってもよい。さらに、連結部材８１は保持ケース８に設けられた構成に限らず、例えば磁界発生部３に設けられていてもよいし、他の部材に設けられていてもよい。この場合、保持ケース８と磁界発生部３や磁電変換素子４を固定する必要はない。
【００５２】
なお、以上の実施形態では、磁界発生部３が永久磁石、磁電変換素子４がホール素子により構成される場合について説明した。しかし、このような構成に限らず、例えば磁界発生部３を電磁コイル、磁電変換素子４を磁気抵抗素子や磁気インピーダンス素子などで構成し、搬送路２における磁界の方向Ｄ３に沿った磁界強度が電気信号に変換されるような構成であってもよい。
【００５３】
以上の発明により、複数の小さな磁電変換素子４を精度よく細かなピッチで配列することができ、また磁電変換素子４と検出部７の入出力端子が増加しても接続することができるので、磁界発生部３と搬送路２、磁電変換素子４との距離をコンパクトに製造可能な磁気センサ装置１を実現できる。これにより、紙葉類Ｓに含まれる磁性体を高解像度かつ高精度で検出することができる。
【符号の説明】
【００５４】
１    磁気センサ装置
２    搬送路
２１  上流搬送ローラー
２２  下流搬送ローラー
２３  センサ対向ローラー
３    磁界発生部
４    磁電変換素子
５    保持基板
６    フレキシブル基板
７    検出部
８    保持ケース
９    保護カバー
１０    スペーサー
１１    アタッチメント
４０    センサ部
５１    コネクタ
５２    位置決め孔
５３    信号パターン
５４    電源パターン
６０    接続部
６１    接続片
６３    位置決め孔
６４    ソルダーレジスト
７１    コネクタ
８１    連結部材
１００    磁気センサ装置
【図１】
0006574710.tif 000002
【図２】
0006574710.tif 000003
【図３】
0006574710.tif 000004
【図４Ａ】
0006574710.tif 000005
【図４Ｂ】
0006574710.tif 000006
【図５】
0006574710.tif 000007
【図６】
0006574710.tif 000008